(57)【要約】      （修正有）【課題】テーブルタップの電気的導通及び出力の主要部材を単体の組立構造体とし、２つの基礎的な正負の平行な電極体に多点結合方式でスイッチ本体を備えた端子座体が連結され、電気的導通を確実にし、且つ製造が簡易である電源テーブルタップの組立構造体の提供。【解決手段】電源テーブルタップの組立構造体は、テーブルタップ内部の電気部材を組み立てて成る構造体を提供するものであり、構造体は主に平行な２つの正負極電極体を含み、２つの電極体間にスイッチ本体が設けられた端子座体が接続部の圧接を介して連結され、独立した電気的構造体を形成し、溶接作業を回避すると共に、確実に電力を導通させる。【選択図】図１
0003139347.tif 000002
【実用新案登録請求の範囲】
【請求項１】
各挿入孔がそれぞれ独立したスイッチを備えた電力分岐用デーブルタップの電気的部材組立構造体であり、テーブルタップハウジングと、前記ハウジング内部に組み込まれる一対の正負極電極体と、少なくとも１つの端子座体を含み、そのうち、前記正負極電極体は両者が平行に配置され、縦方向に組立孔が分布して設けられ、前記端子座体はスイッチ本体を含み、前記スイッチ本体が外部に延伸されたブリッジ及びピンを備え、ブリッジが接続部を介して正極電極体に接続され、前記ピンの１つが接続部を介して負極電極体に接続され、前記ピンが一組の正負極端子を含み、正極端子がピンを介してスイッチ本体に接続され、且つ、切り換え操作により正極電極体に導通され、負極端子がピンを介して負極電極体に導通されることを特徴とする、電源テーブルタップの組立構造体。  
【請求項２】
前記スイッチ本体と端子差込口の長辺方向が垂直の位置関係を呈することを特徴とする、請求項１に記載の電源テーブルタップの組立構造体。
【請求項３】
前記電極体とブリッジ及び負極ピンの間が、接続部を介して前記正負電極体に接続されることを特徴とする、請求項１に記載の電源テーブルタップの組立構造体。
【請求項４】
前記接続部がリベット接続されることを特徴とする、請求項３に記載の電源テーブルタップの組立構造体。
【請求項５】
前記端子差込口の長辺が電極体に横方向に排列されることを特徴とする、請求項１または２に記載の電源テーブルタップの組立構造体。
【請求項６】
前記端子差込口の長辺が電極体に縦方向に排列されることを特徴とする、請求項１または２に記載の電源テーブルタップの組立構造体。
【考案の詳細な説明】
【技術分野】
【０００１】
本考案は電源テーブルタップの組立構造体に関し、特に、分岐式電源テーブルタップの各挿入孔に独立したスイッチが設けられ、前記構造体が２つの正負極電極体の相対する間にスイッチ本体を備えた端子座体が組み込まれ、多点式の圧接組み立てにより部材間の結合力を増強し、溶接作業を回避することができる、電源テーブルタップの組立構造体に関する。
【背景技術】
【０００２】
従来の電源分岐用のテーブルタップは概ね内部の電極板で正負極の接続端子を導通しており、前記端子が電極板から直接延伸されるが、使用材料が機械的物理条件を満たせない場合、端子が脱落しやすく、脱落すると修理ができない。また、独立した端子をネジで固定する方式もあるが、この構造は各端子が単点固定されるため、ゆるみやすい。
【０００３】
用途の必要に応じ、最近では各挿入孔に独立制御式の個別のスイッチを設置したものがあり、各スイッチが個別にネジでテーブルタップハウジングに固定されるが、生産効率が低く、ゆるみやすいという問題がある。また、それぞれが属する端子がネジで固定される場合、使用過程の熱による膨張と収縮、及び外力の振動を受けることによりゆるみやすく、ゆるんでしまった後そのネジ止め部の間隙でショートや放電の危険が形成される。
【０００４】
また、各部材間の電気的導通に溶接方式を採用して結合したものもあるが、使用時に発生する熱が高温になると、溶接不良の部分が熱溶融で結合力が失われ、危険となることがある。また電気ワイヤで回路を構成する方式もあり、エナメルワイヤや絶縁された可撓性ワイヤで関連の電気的導通経路を接続しているが、生産加工時にまず絶縁層を取り除き、はんだ付け作業に入る必要があり、生産効率が非常に緩慢であるという欠点がある。
【０００５】
上述の一部の設計は異なる規格(挿入孔数)のものを生産するとき、必要な各部材すべて挿入孔の数量の変化に応じてあらかじめ異なる規格の部材を生産する必要があり、金型の負担及び在庫部材のコスト増加を招くだけでなく、フレキシブルに市場のニーズに応えることができない。
【考案の開示】
【考案が解決しようとする課題】
【０００６】
本考案の主な目的は、テーブルタップの電気的導通及び出力の主要部材を単体の組立構造体とし、２つの基礎的な正負の平行な電極体に多点結合方式でスイッチ本体を備えた端子座体が連結され、電気的導通を確実にし、且つ製造が簡易である電源テーブルタップの組立構造体を提供することにある。
【０００７】
本考案の第二の目的は、前記電気的構造体がハウジングの射出成型で形成した支持部材を利用し、完全なテーブルタップとして組み込まれる、電源テーブルタップの組立構造体を提供することにある。
【０００８】
本考案の第三の目的は、前記端子と電極体の間に垂直の角度関係を形成し、横型テーブルタップとして使用に供することができる、電源テーブルタップの組立構造体を提供することにある。
【０００９】
本考案の第四の目的は、前記端子と電極体の間が縦方向に平行に配置され、縦型テーブルタップとして使用に供することができる、電源テーブルタップの組立構造体を提供することにある。
【００１０】
本考案の第五の目的は、前記端子座体が多点式の結合で両側の電極体に連結され、組み立て後効果的に機械的な組立力を維持することができる、電源テーブルタップの組立構造体を提供することにある。
【００１１】
本考案の第六の目的は、各電気部材間の連結が圧接方式により達成され、その電気的導通が確実であり、且つ高強度の機械的結合力が形成される、電源テーブルタップの組立構造体を提供することにある。
【００１２】
本考案の第七の目的は、異なる挿入孔数の異なる規格のテーブルタップ製造が、電極体の長さのみで対応することができ、端子座体は大量に準備しておいて組み立てに用いることが可能であり、最も複雑な端子座体を大量生産し、コストを抑えることができる、電源テーブルタップの組立構造体を提供することにある。    
【課題を解決するための手段】
【００１３】
本考案の電源テーブルタップの組立構造体は、各挿入孔がそれぞれ独立したスイッチを備えた電力分岐用デーブルタップの電気的部材組立構造体であり、テーブルタップハウジングと、前記ハウジング内部に組み込まれる一対の正負極電極体と、少なくとも１つの端子座体を含み、そのうち、前記正負極電極体は両者が平行に配置され、縦方向に組立孔が分布して設けられ、前記端子座体はスイッチ本体を含み、前記スイッチ本体が外部に延伸されたブリッジ及びピンを備え、ブリッジが接続部を介して正極電極体に接続され、前記ピンの１つが接続部を介して負極電極体に接続され、前記ピンが一組の正負極端子を含み、正極端子がピンを介してスイッチ本体に接続され、且つ、切り換え操作により正極電極体に導通され、負極端子がピンを介して負極電極体に導通されることを特徴とする。        
【考案の効果】
【００１４】
本考案の構造には次のようないくつかの利点がある。
１、  
溶接が必要ないため、作業環境の空気汚染を防ぐことができる。
２、  
エナメルワイヤまたは絶縁性の可撓性ワイヤ材料を使用しないため、製造が簡易である。
３、  
各スイッチ本体と端子と電極体の間に多点の接続が形成でき、より優れた機械的結合力が得られる。
４、  
電極体の長さのみに基づき異なる規格(挿入孔の数)を決定し生産することができ、市場の規格数量の要求にフレキシブルに対応できるため、異なる規格の在庫の圧力がなく、異なる規格の部品の準備が必要ない。
５、  
いずれかの部材が破損した場合、便利に交換修理することができる。
６、  
組み立てが強固で電気的導通を確保でき、酸化により引き起こされる危険を回避することができる。
７、  
スイッチとその属する端子の配置方向を変えるだけで横型または縦型のテーブルタップに変化させることができる。
【実施例１】
【００１５】
本考案の基礎構造は、まず図１に示すように、前記電気的構造体１が２つの平行な正負電極体１A、１Bを含み、その相対する間に接続部２A、２B、２Cを介して端子座体２００が結合され、端子座体２００はスイッチ本体２及び端子３A、３Bを含み、そのうち、接続部２A、２B、２Cはブリッジ２１、ピン２２、２３により接続が達成され、ピン２２、２３は外側に向かって延伸され、挿入孔３の位置に配置された端子３A、３Bを有する。
【００１６】
電極体１A、１Bは縦方向にテーブルタップハウジングとの結合に用いる組立孔１０が設けられ、完成した電気的構造体１は跨設または懸架方式でテーブルタップハウジング内部に組み込まれ、全体が単純な電気的構造体１を成し、且つ、電極体１A、１Bの長さに基づき複数のスイッチ本体２及びそれが属する挿入孔３を分布させて設け、多口式の電源分岐テーブルタップを形成することができる。電極体１A、１Bの一端を電源に接続するか、或いはいずれかの電気的保護装置を介して間接的に接続し、ハウジングに組み込んだ後、電力を分岐するテーブルタップを形成することができる。
【００１７】
図２に示すように、本考案の実施は基本的に２つの正負電極体１A、１Bの縦方向にテーブルタップハウジングとの結合に用いる組立孔１０が設けられ、端子座体２００の組み込み位置に対応する箇所に穿孔（図示しない）が形成され、圧接部１１、１２を用いてリベット１１０により端子座体２００が固定される。
【００１８】
本考案の基本的観念は、一定長さの電極体１A、１Bを平行に架設し、相対する間に端子座体２００が設置される。その設置方式は、端子座体２００が外部に導通されたブリッジ２１と、端子３A、３Bに接続されたピン２２、２３を介し、端子座体２００とスイッチ本体２間の組み込みにおいて複数の接続部２A、２B、２Cが形成され、端子３A、３B及びブリッジ２１がスイッチ本体２と機械的に組み込まれる。ブリッジ２１及びピン２３は固定板２１０、２３０が延伸して設けられ、固定板２１０、２３０はそれぞれリベット１１０で電極体１A、１Bと圧接され、電力導通が形成される。
【００１９】
上述のブリッジ２１が正極電極体１Aに電力を導通し、スイッチ本体２の切り換え選択を経た後、ピン２２を介して正極端子３Aに伝達され、負極電極体１Bは直接負極端子３Bに導通される。このため、電気は圧接部１１、１２の圧接組み立てを利用して接続され、そのうち、前記圧接部はリベット１１０の方式のほか、その他ネジでの圧接組立てを採用してもよく、電気的構造体１全体が完成した後、組立孔１０をテーブルタップハウジングに設けた何らかの支持部材（図示しない）、例えば突起など一般的な支持部材に対応させ、テーブルタップをハウジングの内部に組み込んで被覆した後、分岐用テーブルタップが完成される。
【００２０】
図３に図２を１８０度裏返した上面図を示す。そのうち、端子座体２００は電極体１A、１Bの相対位置に設置され、ブリッジ２１に設けた固定板２１０とピン２２に設けた固定板２３０を介して電極体１A、１B上に固定される。ピン２２は直接外側に向かって延伸された負極端子３Bを備え、正極端子３Aはスイッチ本体２の切り換えを介して正極電極体１Aに導通されて電力を得る。前記構造体の全体が組立孔１０を利用してハウジング６の内部に組み込まれる。
【００２１】
端子座体２００が属するスイッチ本体２は上方がスイッチボタン２０を成し、前記スイッチボタン２０はハウジングから穿出されて外部に露出された状態を形成し、使用者が指で押して切り換え操作を行なうことができる。
【００２２】
本考案の端子座体２００はスイッチ本体とそれが属する端子３A、３Bの間において、端子３A、３Bの差込口の長辺L方向がスイッチ本体２に対して９０°の垂直角度を成し、このため、図に示すようにハウジング６と横方向の排列関係を形成し、前記電気的構造体１は横型の分岐テーブルタップとすることができる。
【００２３】
前記横型のテーブルタップは、図４に示すように、ハウジング６に図３の電気的構造体１を組み込み被覆した後、挿入孔３が横方向の分岐を形成し、それぞれ対応する独立したスイッチボタン２０を有し、スイッチボタン２０と挿入孔３が横方向にハウジング６に配置され、横型テーブルタップ４を形成する。この横方向とは、差込口の長辺Lの方向に基づいて決定される。
【実施例２】
【００２４】
図５に示すように、本考案は正負電極体１A、１Bと端子座体２００の差込口の長辺L方向の相対的配置に基づき、電気的構造体１を縦方向の配置に形成することもでき、そのうち、正負電極体１A、１Bは同様に組立孔１０が設けられ、電極体１A、１B間に端子座体２００が設置され、端子座体２００はスイッチ本体２を含み、このスイッチ本体２底部は同様にピン２２、２３を介して正負極端子３A、３Bが延伸される。そのうち、スイッチ本体２の片側にブリッジ２１が設置され、同様に圧接部１１を介して正極電極体１Aが連結され、負極端子３Bは圧接部１２を介して負極電極体１Bに連結され、且つ、２つの端子３A、３Bの差込口の長辺L方向が電極体１A、１Bと平行を成す。正極電極体１Aの電力はブリッジ２１を経由しスイッチボタン２０の操作を経た後、正極端子３Aに対して電力の切り換えを行なうことができ、負極端子３Bは常態的に電極体１Bとの導通が保たれる。ピン２２、２３またはブリッジ２１とスイッチ本体２の間は図２の接続部２A、２B、２C等と同様に多点結合を有し、各部材間に多点の結合を形成することができる。
【００２５】
図５に基づき電気的構造体１は縦方向に形成され、これにより図６に示すような縦方向のテーブルタップ５に使用することができ、前記縦方向テーブルタップ５はハウジング６上表面にスイッチボタン２０及び挿入孔３が設けられ、前記挿入孔３の差込口の長辺L方向とハウジング６は平行を成す。
【図面の簡単な説明】
【００２６】
【図１】本考案の基礎的関係を示す模式図である。
【図２】本考案の電気的構造体の底面立体図である。
【図３】図２の裏側の上面図である。
【図４】図３の外観図である。
【図５】本考案の縦型電気的構造体の立体図である。
【図６】図５の外観図である。
【符号の説明】
【００２７】
１        電気的構造体
１A、１B    電極体
１０        組立孔
１１、１２    圧接部
１１０        リベット
２        スイッチ本体
２A、２B、２C    接続部
２０        スイッチボタン
２００        端子座体
２１        ブリッジ
２１０、２３０    固定板
２２、２３        ピン          
３        挿入孔
３A、３B    端子
４        横型テーブルタップ        
５        縦方向テーブルタップ
６        ハウジング
L        長辺
【図１】
0003139347.tif 000003
【図２】
0003139347.tif 000004
【図３】
0003139347.tif 000005
【図４】
0003139347.tif 000006
【図５】
0003139347.tif 000007
【図６】
0003139347.tif 000008